(57)【要約】【課題】ローシルエットであって、容量の大きいタンク本体を有する便器洗浄タンクを備えることができる水洗式便器を提供する。【解決手段】水洗式便器は、便鉢部１１、及びこの便鉢部１１よりも外側に位置し、この便鉢部１１の上端より下方に拡がって下端を床面Ｆに載置する外周壁部１４を有した便器本体１０と、便器本体１０に供給する洗浄水を貯留し、外周壁部１４の内側で床面Ｆに載置するタンク本体７１、７２を有した便器洗浄タンク７０とを備えている。【選択図】図１
2014196636.tif 000002
【特許請求の範囲】
【請求項１】
便鉢部、及びこの便鉢部よりも外側に位置し、この便鉢部の上端より下方に拡がって下端を床面に載置する外周壁部を有した便器本体と、
前記便器本体に供給する洗浄水を貯留し、前記外周壁部の内側で前記床面に載置するタンク本体を有した便器洗浄タンクとを備えていることを特徴とする水洗式便器。
【請求項２】
前記タンク本体は下面に緩衝部を有していることを特徴とする請求項１記載の水洗式便器。
【請求項３】
請求項１又は２記載の水洗式便器の施工方法であって、
前記タンク本体を床面に載置して固定する第１工程と、
前記タンク本体を前記外周壁部の内側に位置させつつ前記便器本体を前記床面に載置して固定する第２工程とを備えていることを特徴とする水洗式便器の施工方法。
【発明の詳細な説明】
【技術分野】
【０００１】
本発明は水洗式便器及びその施工方法に関する。
【背景技術】
【０００２】
特許文献１は従来の水洗式便器を開示している。この水洗式便器は、便鉢部を有する便器本体と、便器本体に供給する洗浄水を貯留するタンク本体を有する便器洗浄タンクとを備えている。この便器洗浄タンクは便器本体から後方に延びたフレームに吊り下げられている。このようにして、この便器洗浄タンクは、便器本体より後方であって、便器本体の上面より下方に配置することができる（図１〜図１３参照）。このため、この便器洗浄タンクを便器本体に取付けた水洗式大便器はローシルエットにすることができる。
【先行技術文献】
【特許文献】
【０００３】
【特許文献１】特開２００８−８２０３２号公報
【発明の概要】
【発明が解決しようとする課題】
【０００４】
しかし、特許文献１の便器洗浄タンクは、便器本体から後方に延びたフレームに吊り下げられているため、フレームの強度上、タンク本体の容量を大きくすることに限界がある。このため、タンク本体に貯留した洗浄水を大流量（流量とは単位時間に流れる水量をいう。以下同じ）で便器本体に流すことができる水量が少なく、汚物等の搬送能力が低くなってしまうおそれがある。
【０００５】
本発明は、上記従来の実情に鑑みてなされたものであって、ローシルエットであって、容量の大きいタンク本体を有する便器洗浄タンクを備えることができる水洗式便器及びその施工方法を提供することを解決すべき課題としている。
【課題を解決するための手段】
【０００６】
本発明の水洗式便器は、便鉢部、及びこの便鉢部よりも外側に位置し、この便鉢部の上端より下方に拡がって下端を床面に載置する外周壁部を有した便器本体と、
前記便器本体に供給する洗浄水を貯留し、前記外周壁部の内側で前記床面に載置するタンク本体を有した便器洗浄タンクとを備えていることを特徴とする。
【０００７】
この水洗式便器は、便器本体の外周壁部の内側でタンク本体を床面に載置するため、洗浄水を貯留したタンク本体を床面が支持することになる。このため、この水洗式便器は外周壁部の内側に収納することができる範囲でタンク本体の容量を大きくしても何ら支障を生じない。
【０００８】
また、本発明の水洗式便器の施工方法は、前記タンク本体を床面に載置して固定する第１工程と、
前記タンク本体を前記外周壁部の内側に位置させつつ前記便器本体を前記床面に載置して固定する第２工程とを備えている。
【０００９】
この水洗式便器の施工方法によれば、便器本体を床面に載置する以前に便器本体とタンク本体とを連結しておく必要が無い。このため、この水洗式便器は、便器本体とタンク本体とを連結するための連結構造を必要とせず、その分、便器本体の外周壁部の内側の空間をタンク本体の容量を大きくするために利用することができる。
【００１０】
したがって、本発明の水洗式便器及びその施工方法は、ローシルエットであって、容量の大きいタンク本体を有する便器洗浄タンクを備えることができる。
【図面の簡単な説明】
【００１１】
【図１】実施例の水洗式便器を示す断面図である。
【図２】実施例の水洗式便器の施工手順を示し、排水連結管を床面に固定した状態を示す側面図である。
【図３】実施例の水洗式便器の施工手順を示し、タンク本体を床面に載置して固定する第１工程を示す側面図である。
【図４】実施例の水洗式便器の施工手順を示し、便器本体を床面に載置して固定する第２工程を示す側面図である。
【図５】水洗式便器の他の施工方法を示す側面図である。
【発明を実施するための形態】
【００１２】
本発明における好ましい実施の形態を説明する。
【００１３】
本発明の水洗式便器において、前記タンク本体は下面に緩衝部を有し得る。この場合、この水洗式便器は、タンク本体の緩衝部が床面の凹凸を吸収したり、タンク本体の熱変形を吸収したりすることができる。これによって、この水洗式便器は、タンク本体が便器本体に接触する部分等で生じる応力を軽減することができる。
【００１４】
次に、本発明の水洗式便器を具体化した実施例について、図面を参照しつつ説明する。
【００１５】
＜実施例＞
実施例の水洗式便器は、図１に示すように、便器本体１０、排水連結管３０、便座装置５０、及び便器洗浄タンク７０を備えている。便器本体１０は、便鉢部１１、便器排水路１２、上面部１３、及び外周壁部１４を有している。便鉢部１１は上部に形成した２つの吐水口（第１吐水口１５、第２吐水口（図示せず））を有している。第１吐水口１５は便鉢部１１の左側の前後方向（図１における左右方向）の中間部で前方向（図１において左方向）に開口している。第２吐水口は便鉢部１１の右側の後部で左方向に開口している。便鉢部１１は、第１吐水口１５の下端面に連続した段部を上部周縁に形成し、その上面を洗浄水が流れるリム通水路１６を有している。水洗式便器は、便器洗浄を実行すると、第１吐水口１５及び第２吐水口から洗浄水が吐水される。水洗式便器は、第１吐水口１５から吐水された洗浄水が、リム通水路１６に沿って流れつつ、徐々に便鉢部１１の下方へ流下するため、便鉢部１１を上方から見下ろした平面視で便鉢部１１内に旋回流が形成される。
【００１６】
便器排水路１２は便鉢部１１の下流側に連通している。便器排水路１２は、便鉢部１１の下部に連通し、後方に向けて下方に傾斜した第１下降流路１２Ａと、第１下降流路１２Ａの下流側に連通し、後方に向けて上方に傾斜した上昇流路１２Ｂと、上昇流路１２Ｂの下流側に連通し、鉛直下方に延びた第２下降流路１２Ｃとを有している。便器本体１０は、便鉢部１１の下部と、第１下降流路１２Ａと、上昇流路１２Ｂとによって、水封部を形成している。
【００１７】
便器本体１０の上面部１３は便鉢部１１の上端周縁に略水平方向に拡がっている。上面部１３は便鉢部１１の上端周縁形状よりも僅かに小さい略楕円形状に形成した開口部１３Ａを有している。この開口部１３Ａが便鉢部１１の上方に位置しており、便鉢部１１の上方を開口している。上面部１３は、便鉢部１１の前端から便鉢部１１の上端周縁の左右幅が最大となった位置まで、外縁が便鉢部１１の上端周縁に沿った形状である。上面部１３は、便鉢部１１の左右幅が最大となった位置から後方において、左右外縁が略平行に延びている。上面部１３は後端縁１３Ｂが便鉢部１１より後方で左右方向に直線状に延びている。
【００１８】
便器本体１０の外周壁部１４は、便鉢部１１の前端から便鉢部１１の上端周縁の左右幅が最大となった位置まで、便鉢部１１の上端周縁部から下方に拡がっており、下端を床面Ｆに載置する前壁部１４Ａを有している。また、外周壁部１４は、前壁部１４Ａの左右後端の夫々に連続し、略平行に後方に延びた左右壁部（図示せず）を有している。左右壁部も下端を床面Ｆに載置している。さらに、外周壁部１４は、左右壁部の夫々の後端に連続した後壁部１４Ｂを有している。後壁部１４Ｂも下端を床面Ｆに載置している。このように、外周壁部１４は、便鉢部１１よりも外側に位置し、便鉢部１１の上端より下方に拡がって下端を床面Ｆに載置し、便鉢部１１及び便器排水路１２を囲むように形成されている。
【００１９】
排水連結管３０は床面Ｆに固定されている。排水連結管３０は、上流端開口が便器本体１０の便器排水路１２の第２下降流路１２Ｃの排出口１２Ｄに連通しており、下流端開口が床面Ｆに引き出された排水管９０の流入口に連通している。
【００２０】
便座装置５０は、局部洗浄装置等を収納する収納ケース５１と、収納ケース５１に回動自在に軸支された便座及び便蓋５２とを有している。収納ケース５１は、便器本体１０の後部に形成した収納空間の上方を塞ぐように、便器本体１０の後部上に固定されている。便座及び便蓋５２は、便鉢部１１の上方に位置する倒伏状態と、収納ケース５１の軸部を中止に回動して起立した起立状態との間を回動自在である。
【００２１】
便器洗浄タンク７０は、図１及び図３に示すように、床面Ｆに載置され固定されている。この便器洗浄タンク７０は、第１タンク本体７１、第２タンク本体７２、電動ポンプ７７、及び吐水ノズル７８を備えている。第１タンク本体７１は上端部に空気が通過する図示しない通気口と洗浄水が流入する流入口７１Ａとを設けている。第１タンク本体７１は、通気口に連通しており、上方に突出した円筒状のフィルター部７９を有している。フィルター部７９は側面に複数のスリットを形成している。フィルター部７９は、通気口を介して第１タンク本体７１内に空気を流入出させることができ、かつ虫等が第１タンク本体７１内に入り込むことを防止することができる。第１タンク本体７１は、洗浄水の貯留水位以下の外周面に結露が生じることを防止するために、防露材を周囲に有した２重構造である。
【００２２】
第２タンク本体７２は第１タンク本体７１よりも下方に位置している。第２タンクは、外周面に結露が生じることを防止するために、防露材８１を周囲に有した２重構造である。第２タンク本体は下面に接着したスポンジからなる緩衝部７４を有している。このスポンジは、所定の厚みを有し、上方から見た外形状が第２タンクの下面の外周縁に沿った形状に形成されている。第２タンク本体７２は、連通管７３によって、第１タンク本体７１に連通している。第２タンク本体７２は下面に開口した流出口７２Ａを有している。
【００２３】
第１タンク本体７１に設けた流入口７１Ａは図示しない給水管を連通している。給水管は上流側が給水源に連通している。便器洗浄タンク７０は、給水管の途中に図示しない電磁開閉弁を設けている。便器洗浄タンク７０は、電磁開閉弁が開弁すると、洗浄水が給水管から流入口７１Ａを介して第１タンク本体７１内に流入し、電磁開閉弁が閉弁すると、流入口７１Ａから第１タンク本体７１内への洗浄水の流入が停止する。
【００２４】
第２タンク本体７２に設けた流出口７２Ａは図示しない吐水路が連通している。便器洗浄タンク７０は吐水路の下流端に電動ポンプ７７の入水口を連通している。便器洗浄タンク７０は電動ポンプ７７の出水口に吐水ノズル７８の上流端を連通している。吐水ノズル７８は途中で分岐している。電動ポンプ７７が駆動することによって、吐水ノズル７８の一方の先端から吐水された洗浄水は便器本体１０の第１吐水口１５から便鉢部１１内に吐水され、他方の先端から吐水された洗浄水は便器本体１０の第２吐水口から便鉢部１１内に吐水される。
【００２５】
この水洗式便器は、便器本体１０の外周壁部１４の内側で第１タンク本体７１及び第２タンク本体７２を床面Ｆに載置するため、洗浄水を貯留した第１タンク本体７１及び第２タンク本体７２を床面Ｆが支持することになる。このため、この水洗式便器は外周壁部１４の内側に収納することができる範囲で第１タンク本体７１及び第２タンク本体７２の容量を大きくしても何ら支障を生じない。
【００２６】
したがって、実施例の水洗式便器は、ローシルエットであって、容量の大きい第１タンク本体７１及び第２タンク本体７２を有する便器洗浄タンク７０を備えることができる。
【００２７】
また、この水洗式便器は、第２タンク本体７２の下面に緩衝部７４を有しているため、この緩衝部７４が床面Ｆの凹凸を吸収したり、第１タンク本体７１及び第２タンク本体７２の熱変形を吸収したりすることができる。このため、この水洗式便器は、第１タンク本体７１及び第２タンク本体７２が便器本体１０に接触する部分等で生じる応力を軽減することができる。
【００２８】
次に、この水洗式便器の施工方法を説明する。
【００２９】
先ず、図２に示すように、排水連結管３０の下流端開口を床面Ｆに引き出された排水管９０の流入口に連通させながら、排水連結管３０を床面Ｆに固定する。
【００３０】
次に、図３に示すように、第１タンク本体７１及び第２タンク本体７２を排水連結管３０に合わせて、床面Ｆに載置して固定する第１工程を実行する。この際、第２タンク本体が下面に接着したスポンジからなる緩衝部７４を有しているため、緩衝部７４が床面の凹凸を吸収することができる。
【００３１】
次に、図４に示すように、第１タンク本体７１及び第２タンク本体７２を外周壁部１４の内側に位置させつつ、便器本体１０を床面Ｆに載置して固定する第２工程を実行する。
【００３２】
そして、第１タンク本体７１の流入口７１Ａに給水管を連通した後、図１に示すように、便器本体１０の後部上に便座装置５０の収納ケース５１を固定し、水洗式便器の施工を終了する。
【００３３】
このように、この水洗式便器の施工方法によれば、便器本体１０を床面Ｆに載置する以前に便器本体１０と第１タンク本体７１及び第２タンク本体７２とを連結しておく必要が無い。このため、この水洗式便器は、便器本体１０と第１タンク本体７１及び第２タンク本体７２とを連結するための連結構造を必要とせず、その分、便器本体１０の外周壁部１４の内側の空間を第１タンク本体７１及び第２タンク本体７２の容量を大きくするために利用することができる。
【００３４】
したがって、実施例の施工方法によれば、ローシルエットであって、容量の大きい第１タンク本体７１及び第２タンク本体７２を有する便器洗浄タンク７０を備えることができる。
【００３５】
本発明は上記記述及び図面によって説明した実施例に限定されるものではなく、例えば次のような実施例も本発明の技術的範囲に含まれる。
（１）実施例では、第１タンク本体及び第２タンク本体と、便器本体とを別々に床面に載置し固定したが、図５に示すように、便器本体１０に第１タンク本体７１及び第２タンク本体７２を連結した後に、床面Ｆに便器本体１０を固定するようにしてもよい。この場合、便器本体１０を床面Ｆに固定する前の状態では、第２タンク本体７２の下面に設けた緩衝部１７４が便器本体１０の下端より下方に突出しており、緩衝部１７４を押し潰すようにして便器本体１０を床面Ｆに載置して固定する。このようにすれば、確実に第１タンク本体７１及び第２タンク本体７２を床面Ｆに載置することができる。
（２）実施例では、第２タンク本体の下面の緩衝部をスポンジで形成したが、緩衝部をばね等の弾性体で形成してもよい。また、第２タンク本体を弾性体で形成してもよい。
（３）実施例では、第２タンク本体の下面に緩衝部を設けたが、緩衝部を設けなくてもよい。
（４）実施例では、便器洗浄タンクが連通管で連通した第１タンク本体と第２タンク本体とを有していたが、便器洗浄タンクは一つのタンク本体のみを有しているものでもよい。
【符号の説明】
【００３６】
１０…便器本体
１１…便鉢部
１４…外周壁部
７０…便器洗浄タンク
７１、７２…タンク本体（７１…第１タンク本体、７２…第２タンク本体）
７４、１７４…緩衝部
Ｆ…床面
【図１】
2014196636.tif 000003
【図２】
2014196636.tif 000004
【図３】
2014196636.tif 000005
【図４】
2014196636.tif 000006
【図５】
2014196636.tif 000007